(57)【要約】      （修正有）【課題】作業者の一層の創意工夫と細かな手作業とを要求することにより高齢者のボケ防止の効果と子供の教育的効果とを更に高め、加えて成人が趣味として行うに足る面白さを備えた装飾具形成用セットを提供する。【解決手段】上面の色彩、模様又は凹凸状態が相互に異なり、かつ、下面に粘着剤層を備えた多数枚の正方形状又は長方形状の布片１，１ａ，１ｂ，１ｃを予め剥離自在に貼着してなる仮保持シート５と、表面に布片１，１ａ，１ｂ，１ｃを貼着すべき位置を示す縦横の線を表示した装飾シートとよりなり、仮保持シート５の各布片１，１ａ，１ｂ，１ｃを仮保持シート５から剥離し、装飾シートの表面における当該縦横の線により示された位置に各布片１，１ａ，１ｂ，１ｃを貼着する。【選択図】図１
0003193518.tif 000002
【実用新案登録請求の範囲】
【請求項１】
上面の色彩、模様又は凹凸状態が相互に異なり、かつ、下面に粘着剤層を備えた多数枚の正方形状又は長方形状の布片を予め剥離自在に貼着してなる仮保持シートと、表面に該布片を貼着すべき位置を示す縦横の線を表示した装飾シートとよりなり、該仮保持シートの各布片を該仮保持シートから剥離し、該装飾シートの表面における当該縦横の線により示された位置に各布片を貼着するようにした装飾具形成用セット。
【請求項２】
前記各布片下面における粘着剤層は、該布片下面における一辺の縁部を除く全面に備えさせたことを特徴とする請求項１に記載の装飾具形成用セット。
【考案の詳細な説明】
【技術分野】
【０００１】
本考案は、装飾具形成用セットに関するものであり、例えば高齢者のボケ防止、子供の教育、成人の趣味等のために使用される装飾具形成用セットに係るものである。
【背景技術】
【０００２】
実用新案登録第３１７３９５１号公報は、ボケ防止のために、高齢者等が容易に手提げ袋を組み立てることができるようにした自作手提げ袋キットを提供している。
【先行技術文献】
【特許文献】
【０００３】
【特許文献１】実用新案登録第３１７３９５１号公報
【考案の概要】
【考案が解決しようとする課題】
【０００４】
上記自作手提げ袋キットは、高齢者のボケ防止に役に立つものではあるが、本考案は、作業者の一層の創意工夫と細かな手作業とを要求することにより高齢者のボケ防止の効果と子供の教育的効果とを更に高め、加えて成人が趣味として行うに足る面白さを備えた装飾具形成用セットを提供しようとしてなされたものである。
【課題を解決するための手段】
【０００５】
上記課題を解決するために、本考案は、下記の装飾具形成用セットを提供する。
【０００６】
（１）上面の色彩、模様又は凹凸状態が相互に異なり、かつ、下面に粘着剤層を備えた多数枚の正方形状又は長方形状の布片を予め剥離自在に貼着してなる仮保持シートと、表面に該布片を貼着すべき位置を示す縦横の線を表示した装飾シートとよりなり、該仮保持シートの各布片を該仮保持シートから剥離し、該装飾シートの表面における当該縦横の線により示された位置に各布片を貼着するようにした装飾具形成用セット（請求項１）。
【０００７】
（２）前記各布片下面における粘着剤層は、該布片下面における一辺の縁部を除く全面に備えさせる（請求項２）。
【考案の効果】
【０００８】
［請求項１の考案］
装飾具形成用セットにより装飾具を形成する際には、仮保持シートに予め貼着されている多数枚の布片から所望の布片を選択して該仮保護シートから剥離し、該布片を装飾シートにおける該布片を貼着すべき位置を示す所望の縦横の線に合わせて該装飾シートの表面に貼着する。すなわち、装飾具形成用セットの使用者は、色彩、模様又は凹凸状態が相互に異なる布片からから所望の布片を選択して仮保持シートから剥離し、該装飾シートの表面における当該縦横の線により示された所望の位置に各布片を貼着することにより、装飾シート上に自ら創作したデザインを表現すると共に、布片の剥離と貼着とを行う際に手指の細かな作業を行うことになる。すなわち、装飾具形成用セットにより装飾具を形成する際には、創作力と、指先の繊細な動きと、集中力とが要求される。したがって、この装飾具形成用セットは、高齢者については脳を活性化することによりボケ防止の効果を発揮し、子供については色彩感覚の養成、集中力の向上等の教育的効果を発揮し、加えて成人が趣味として行うに足る面白さを備えたものである。
【０００９】
［請求項２の考案］
前記各布片下面における粘着剤層は、該布片下面における一辺の縁部を除く全面に備えさせているため、使用者が該布片を仮保持シートから剥離させる際に、手指等を布片の当該縁部に掛けることにより該布片を保持シートから容易に剥離させることができる。  
【図面の簡単な説明】
【００１０】
【図１】図１は、多数枚の布片を予め貼着させた仮保持シートを示す平面図である。
【図２】図２は、正方形状の布片を示す斜視図である。
【図３】図３は、長方形状の布片を示す平面図である。
【図４】図４は、仮保持シートに予め貼着した布片の一例を示す断面図である。
【図５】図５は、仮保持シートに予め貼着した布片の別の一例を示す断面図である。
【図６】図６は、図５に示す布片の底面図である。
【図７】図７は、装飾シートの一例を示す平面図である。
【図８】図８は、装飾シートに布片を貼着している状態を示す断面図である。
【図９】図９は、装飾シートに布片を貼着してなる装飾具の一例を示す平面図である。
【図１０】図１０は、装飾シートに布片を貼着してなる装飾具の別の一例を壁掛け用として用いた状態を示す正面図である。
【図１１】図１１は、装飾具をスタンド用として用いた状態を示す側面図である。
【考案を実施するための形態】
【００１１】
符号１に示すものは正方形状又は長方形状の布片である。布片１は平面視正方形状であることが望ましいが、平面視長方形状であっても差し支えない。布片１の材質は、絹、木綿、麻等いかなるものであってもよい。布片１は、一例として一辺約１５ｍｍの正方形とする。
【００１２】
布片１は、上面の色彩、模様又は凹凸状態が相互に異なっている。例えば、図１、図２、図４、図９、図１０における布片１ａ、１ｂ、１ｃ、１ｄ、１ｆは、上面の色彩、模様又は凹凸状態が相互に異なっている。また図３における布片１ｅは、平面視長方形状をなし、布片１ａ、１ｂ、１ｃ、１ｄ、１ｆとは上面の色彩、模様又は凹凸状態が異なっている。
【００１３】
布片１は、下面に粘着剤層３を備えている。
【００１４】
仮保持シート５には多数枚の布片１を予め剥離自在に貼着する。すなわち、一例として図４、図５に示すように、仮保持シート５には多数枚の布片１を、剥離ライナー７を介して、予め剥離自在に貼着する。
【００１５】
図５、図６に示す事例においては、 各布片１下面における粘着剤層３は、該布片下面における一辺の縁部９を除く全面に備えさせている。布片下面における当該一辺の縁部９は一例として約１ｍｍ幅とする。
【００１６】
装飾シート１１の一例を図７に示す。装飾シート１１の表面には多数枚の布片１を貼着すべき位置を示す縦横の線１２、１３を表示する。装飾シート１１は可撓性を有する紙、合成樹脂シート等であってもよいが、木、ガラス、金属等により形成しても差し支えない。装飾シート１１は円筒状に形成してもよい。
【００１７】
仮保持シート５の各布片１を該仮保持シート５から剥離し、該装飾シート１１の表面における当該縦横の線１２、１３により示された所望の位置に各布片１を貼着することにより、装飾シート１１上に自ら創作したデザインを表現する。なお、各布片１を装飾シート１１に貼着したときには、該装飾シート１１の表面における当該縦横の線１２、１３は各布片１により見えなくなる。
【００１８】
図９に示す事例においては、装飾シート１１の表面に布片１を貼着してなる装飾具に額縁１４を嵌めている。
【００１９】
図１０に示す事例においては、人の写真１５の周囲に枠状の装飾シート１１の表面に布片１を貼着してなる枠状体１７を配設してなる装飾具に額縁１４を嵌めている。
【００２０】
図１１に示す事例においては、額縁１４を備えた装飾具を支持手段１９により立てている。なお、装飾具は屏風状に形成してもよいが、絵画の如く壁にかけてもよい。
【符号の説明】
【００２１】
１  布片
３  粘着剤層
５  仮保持シート
７  剥離ライナー
９  縁部
１１  装飾シート
１２  線
１３  線
１４  額縁
１５  写真
１７  枠状体
１９  支持手段
【図１】
0003193518.tif 000003
【図２】
0003193518.tif 000004
【図３】
0003193518.tif 000005
【図４】
0003193518.tif 000006
【図５】
0003193518.tif 000007
【図６】
0003193518.tif 000008
【図７】
0003193518.tif 000009
【図８】
0003193518.tif 000010
【図９】
0003193518.tif 000011
【図１０】
0003193518.tif 000012
【図１１】
0003193518.tif 000013